【手続補正書】
【提出日】平成17年3月25日(2005.3.25)
【手続補正１】
【補正対象書類名】特許請求の範囲
【補正対象項目名】全文
【補正方法】変更
【補正の内容】
【特許請求の範囲】
【請求項１】
時刻を表示する時刻表示手段と、前記時刻表示手段の時刻表示を制御する時刻表示指令部と、第１の地方の時刻情報を含む第１の電波と第２の地方の時刻情報を含む第２の電波とを受信可能である受信手段と、クロックパルスをカウントして基準時刻を順次更新するととともに、前記受信手段にて前記電波が受信された際にこの受信された前記電波の時刻情報を前記基準時刻とする基準時刻更新部と、
前記基準時刻に対する時差を設定する時差設定手段と、を備え、
前記時刻表示指令部は、前記基準時刻の表示を指令する基準時刻表示指令部と、
前記基準時刻に対して設定された時差分異なる時差時刻の表示を指令する時差時刻表示指令部と、時差時刻表示の解除を指令する時差設定解除指令部と、を備え、
前記第１の電波の時刻情報が前記基準時刻として設定されている状態で前記時差時刻表示指令部が稼動されて時差時刻が前記時刻表示手段に表示されている場合に前記第２の電波が受信されると、前記基準時刻更新部は前記第２の電波の時刻情報を基準時刻とし、前記時差設定解除指令部は、前記時差時刻表示指令部の稼動を停止させる
ことを特徴とする計時装置。
【手続補正２】
【補正対象書類名】明細書
【補正対象項目名】発明の名称
【補正方法】変更
【補正の内容】
【発明の名称】計時装置
【手続補正３】
【補正対象書類名】明細書
【補正対象項目名】０００７
【補正方法】変更
【補正の内容】
【０００７】
本発明の計時装置は、時刻を表示する時刻表示手段と、前記時刻表示手段の時刻表示を制御する時刻表示指令部と、第１の地方の時刻情報を含む第１の電波と第２の地方の時刻情報を含む第２の電波とを受信可能である受信手段と、クロックパルスをカウントして基準時刻を順次更新するととともに、前記受信手段にて前記電波が受信された際にこの受信された前記電波の時刻情報を前記基準時刻とする基準時刻更新部と、前記基準時刻に対する時差を設定する時差設定手段と、を備え、前記時刻表示指令部は、前記基準時刻の表示を指令する基準時刻表示指令部と、前記基準時刻に対して設定された時差分異なる時差時刻の表示を指令する時差時刻表示指令部と、時差時刻表示の解除を指令する時差設定解除指令部と、を備え、前記第１の電波の時刻情報が前記基準時刻として設定されている状態で前記時差時刻表示指令部が稼動されて時差時刻が前記時刻表示手段に表示されている場合に前記第２の電波が受信されると、前記基準時刻更新部は前記第２の電波の時刻情報を基準時刻とし、前記時差設定解除指令部は、前記時差時刻表示指令部の稼動を停止させることを特徴とする。
この構成において、時刻情報は日本国の時刻情報に限られない。ドイツ（ＤＣＦ−７７）、イギリス（ＭＳＦ）、アメリカ（ＷＷＶＢ）など各国の時刻情報を受信するようにしてもよいことはもちろんである。この場合、例えば、始め日本にいる場合は、基準時刻を日本標準時間とし、時刻情報の電波送信が行われていない第２国へ出国する場合に時差設定を行い、次に、アメリカで時刻情報を受信して、このアメリカの標準時刻を基準時刻としてもよい。
本発明の計時装置は、時刻を表示する時刻表示手段と、前記時刻表示手段の時刻表示を制御する時刻表示指令部と、時刻情報を含む電波を受信する受信手段と、クロックパルスをカウントして予め設定された地方の標準時である基準時刻を順次更新する基準時刻更新部と、前記基準時刻に対する時差を設定する時差設定手段とを備える計時装置において、前記時刻表示指令部は、前記基準時刻の表示を指令する基準時刻表示指令部と、前記基準時刻に対して設定された時差分異なる時差時刻の表示を指令する時差時刻表示指令部と、時差時刻表示の解除を指令する時差設定解除指令部とを備え、前記時差設定解除指令部は、前記基準時刻に対応する時刻情報を含む電波が受信されると、前記時差時刻表示指令部の稼動を停止させ、前記基準時刻表示指令部を稼動させることを特徴とする。
【手続補正４】
【補正対象書類名】明細書
【補正対象項目名】００１０
【補正方法】変更
【補正の内容】
【００１０】
本発明では、前記基準時刻に対応する時刻情報を含む電波が受信されると、前記基準時刻更新部の基準時刻が前記時刻情報に基づいて修正され、前記基準時刻表示指令部は、修正された前記基準時刻に基づいて前記時刻表示手段に時刻表示させることが好ましい。
【手続補正５】
【補正対象書類名】明細書
【補正対象項目名】００１２
【補正方法】変更
【補正の内容】
【００１２】
本発明では、前記受信手段は、予め設定されたスケジュールに従って前記時刻情報を含んだ電波を受信することが好ましい。
このような構成によれば、予め設定された受信時刻になると自動的に時刻情報が受信される。時差設定がされた後、基準時刻に対応する時刻情報を含んだ電波を受信できる地域にいれば、受信された時刻情報に基づいて、時刻修正が行われるとともに、時差設定が解除されて基準時刻が表示される。よって、本発明によれば、時差設定解除だけでなく、時刻情報を受信させる操作も必要としない。
【手続補正６】
【補正対象書類名】明細書
【補正対象項目名】００１３
【補正方法】変更
【補正の内容】
【００１３】
本発明では、前記受信手段は、外部入力手段による操作によって前記時刻情報を含んだ電波の強制受信を開始することが好ましい。
このような構成によれば、時差設定がされた後、時刻情報を含んだ電波を受信できる地域で、外部入力手段により時刻情報の強制受信を開始させる。すると、受信された時刻情報に基づいて時刻修正がなされるとともに、時差設定が解除され、基準時刻が表示される。よって本発明によれば、時刻情報を受信できる地域に入るとすぐに、時差設定を解除して基準時刻を表示させることができる。例えば、海外から帰って時刻情報の受信地域に入るとすぐに基準時刻を知ることができる。
時刻情報を受信できる地域に入ったところで、基準時刻を知りたい場合に、時刻情報を受信するという自然な操作を一つ行えば、時差設定を解除し、さらに、時刻情報を受信して正確な基準時刻を表示することができる。
【手続補正７】
【補正対象書類名】明細書
【補正対象項目名】００１４
【補正方法】変更
【補正の内容】
【００１４】
本発明では、前記時差設定における時差設定量は一時間単位で設定可能であることが好ましい。
このような構成によれば、少ない入力操作で時差設定ができる。各地域での標準時刻は一時間単位の時差で設定されているので、時差設定機能としても、一時間ごとにできれば十分である。
【手続補正８】
【補正対象書類名】明細書
【補正対象項目名】００１５
【補正方法】変更
【補正の内容】
【００１５】
本発明では、前記時刻表示手段は、時刻表示用の指針を有し、前記指針を駆動させる駆動パルス信号に基づいて前記指針位置をカウントする指針位置カウンタと、前記基準時刻更新部からなる基準時刻カウンタと、前記指針位置カウンタのカウント値と前記基準時刻カウンタのカウント値との一致を検出する一致検出手段とを備え、前記時差時刻表示指令部が稼動されると、前記一致検出手段は、前記指針位置カウンタのカウント値と前記基準時刻カウンタのカウント値の不一致を許容し、前記時差時刻表示が解除されると、前記基準時刻表示指令部は前記指針位置カウンタのカウント値を前記時刻カウンタのカウント値に一致させるまで前記駆動パルス信号を出力することが好ましい。
【手続補正９】
【補正対象書類名】明細書
【補正対象項目名】００１６
【補正方法】変更
【補正の内容】
【００１６】
本発明では、前記時刻表示手段は、時刻表示用の指針を有し、前記指針の指針位置を検出する指針位置検出手段からの検出信号に基づいて前記指針位置をカウントする指針位置カウンタと、前記基準時刻更新部からなる基準時刻カウンタと、前記指針位置カウンタのカウント値と前記基準時刻カウンタのカウント値との一致を検出する一致検出手段とを備え、前記時差時刻表示指令部が稼動されると、前記一致検出手段は、前記指針位置カウンタのカウント値と前記基準時刻カウンタのカウント値の不一致を許容し、前記時差時刻表示が解除されると、前記基準時刻表示指令部は前記指針位置カウンタのカウント値を前記時刻カウンタのカウント値に一致させるまで前記駆動パルス信号を出力することが好ましい。
【手続補正１０】
【補正対象書類名】明細書
【補正対象項目名】００１９
【補正方法】変更
【補正の内容】
【００１９】
本発明では、発電手段が設けられ、前記発電手段からの電力によって、当該計時装置は動作することが好ましい。
このような構成によれば、発電手段が設けられているので、電力が尽きることはなく、計時装置の動作が停止することはない。電波を受信する動作は通常のクロック動作に比べて多量の電力を必要とする。また、電力が足りないと、受信動作が正常に動作せず、時刻情報を誤受信する可能性がある。しかし、本発明によれば、電力の消耗をあまり気にする必要はなくなる。
【手続補正１１】
【補正対象書類名】明細書
【補正対象項目名】００２０
【補正方法】変更
【補正の内容】
【００２０】
本発明の計時装置の制御方法は、時刻を表示する時刻表示手段と、前記時刻表示手段の時刻表示を制御する時刻表示指令部とを備える計時装置の制御方法において、時刻情報を含む電波を受信する受信工程と、クロックパルスをカウントして予め設定された地方の標準時である基準時刻を順次更新する基準時刻更新工程と、前記基準時刻を前記時刻表示手段に表示する基準時刻表示工程と、前記基準時刻に対する時差を設定する時差設定工程と、前記基準時刻に対して設定された時差分異なる時差時刻を前記時刻表示手段に表示する時差時刻表示工程と、前記受信工程が行われると前記時差時刻表示工程を停止して前記基準時刻表示工程を実行させる時差設定解除工程とが設けられていることを特徴とする。
【手続補正１２】
【補正対象書類名】明細書
【補正対象項目名】００２３
【補正方法】変更
【補正の内容】
【００２３】
本発明では、前記受信工程と前記時差設定解除工程との間に、前記基準時刻更新工程の基準時刻を受信された時刻情報に基づいて修正する基準時刻修正工程が設けられていることが好ましい。
【手続補正１３】
【補正対象書類名】明細書
【補正対象項目名】００２５
【補正方法】変更
【補正の内容】
【００２５】
本発明では、前記受信工程の前に、予め時刻情報を含む電波を受信する時刻が設定されたスケジュールに基づいて受信時刻に達したことを判断する受信時刻判断工程が設けられていることが好ましい。
【手続補正１４】
【補正対象書類名】明細書
【補正対象項目名】００２７
【補正方法】変更
【補正の内容】
【００２７】
本発明では、前記受信工程の前に、外部入力手段によって、前記受信工程を強制的に開始させる強制受信開始工程が設けられていることが好ましい。